(57)【要約】【課題】安定した操作荷重で任意の方向に風向を変えることができる、比較的簡単な構造の丸型のレジスタを提供する。【解決手段】リテーナ１の内周面に部分凹状球面１１が形成され、円筒フレーム３の外周面に部分凸状球面３ａが形成される。リテーナ１の内周面の対向位置に１対の摺動溝１２，１３が中心線と略平行に形成される。円筒フレーム３の外周面に突設されたルーバー支軸２８，２９が摺動溝１２，１３に各々摺動且つ回動可能に係合する。円筒フレーム３の外周面に突起３４，３５がリテーナ１の内周面に接触可能に突設される。回動ルーバー２全体を上下左右任意の方向に回動操作したとき、ルーバー支軸２８，２９を中心に回動ルーバー２が回動するとともに、ルーバー支軸２８，２９が摺動溝１２，１３内で移動し、回動ルーバー全体が中心線上の中心点を中心に回動する。【選択図】図１
2014172549.tif 000002
【特許請求の範囲】
【請求項１】
円筒状のリテーナ内に円筒フレームを有した回動ルーバーが傾動可能に配設され、該円筒フレーム内に羽根を設けた通風路が形成されてなるレジスタにおいて、
該リテーナの内周面は該通風路の中心線上の中心点を中心とする球の部分凹状球面で形成されるとともに、該円筒フレームの外周面は該部分凹状球面に対応する部分凸状球面から形成され、
該リテーナの内周面の対向位置に１対の摺動溝が該中心線と略平行に形成され、該円筒フレームの外周面に突設された１対のルーバー支軸が該１対の摺動溝に各々摺動且つ回動可能に係合され、
該円筒フレームの外周面には、該１対のルーバー支軸とは角度間隔をおいて複数の突起が該リテーナの内周面に接触可能に突設され、
該回動ルーバー全体を上下左右任意の方向に傾動操作したとき、該ルーバー支軸を中心に該回動ルーバーが回動するとともに、該１対のルーバー支軸が該摺動溝内で移動し、該回動ルーバー全体が傾動することを特徴とするレジスタ。
【請求項２】
前記１対のルーバー支軸に、荷重付与部材が装着されたことを特徴とする請求項１記載のレジスタ。
【請求項３】
前記突起は、半球形状とし、前記円筒フレームの外周面に、前記ルーバー支軸に対し９０度の角度間隔をおいて配置されたことを特徴とする請求項１記載のレジスタ。
【請求項４】
前記円筒状のリテーナは、中心点を通る分割線で２分割され、該分割部近傍に係止爪及び係止部を設けて構成され、組付け時、内側に前記回動ルーバーを配置した状態で、２分割の該リテーナを組み立て、該係止爪を該係止部に係止させて嵌合固定することを特徴とする請求項１記載のレジスタ。
【請求項５】
前記回動ルーバーには１対のバッフル板が前記円筒フレームの内側で前記中心線と直角のバッフル支軸により回動可能に軸支され、該回動ルーバーの正面中央に設けた操作ダイヤルを回動操作して該１対のバッフル板を回動させることを特徴とする請求項１記載のレジスタ。
【発明の詳細な説明】
【技術分野】
【０００１】
本発明は、主に自動車などの空調装置の空気吹出調整用に使用されるレジスタに関し、特に円筒状のリテーナと略円形の空気吹出口を有する丸型のレジスタに関する。
【背景技術】
【０００２】
従来、円形の空気吹出口を有する丸型のレジスタとして、円筒フレーム内に送風方向に沿った中心線の回りで回動可能な丸型の回動ルーバーを備えたレジスタが、下記特許文献１などにより知られている。
【先行技術文献】
【特許文献】
【０００３】
【特許文献１】実公平３−２７２３７号公報
【発明の概要】
【０００４】
このレジスタは、内側に球面を有する円筒形の外枠を有し、その外枠の内側に、外側球面を有する内枠を、回動及び傾動可能に嵌め込み、内枠内には４枚の可動羽根を中心軸の周囲に放射状に配置した回動ルーバーが配設され、回動ルーバーの各可動羽根は、内枠のラジアル方向の支軸の回りで回動可能に軸支されて構成される。
【０００５】
さらに、このレジスタは、中心軸の末端及び各可動羽根の支軸の内側端にベベルギヤが設けられ、中心軸の末端に設けたベベルギヤと各可動羽根のベベルギヤが噛合し、中心軸の先端に設けた摘みを回すと、ベベルギヤを介して各可動羽根がその支軸を軸に回動する構造となっている。
【０００６】
レジスタの使用時に、中心軸先端の摘みを回すと、ベベルギヤを介して４枚の可動羽根がラジアル方向の支軸を中心に回動し、４枚の可動羽根が送風方向と平行な場合、レジスタの空気吹出口から送風される風が、可動羽根によって、中央に収束されるが、４枚の可動羽根が各支軸を軸に傾動すると、送風される空気流は空気吹出口の周囲に拡散するように流れる。さらに、各可動羽根を流路の横断面と平行な状態まで回動させた場合、レジスタの流路を遮断し送風を止めるようになっている。
【発明が解決しようとする課題】
【０００７】
しかし、このレジスタは、風向を変える場合、摘みを持って内枠を、外枠に対し上下左右等の任意の方向に傾動（回動）させると、可動ルーバーが内枠とともに傾動し、風向が調整されるが、このとき、外枠に対し傾動（回動）する内枠は、その外側球面が外枠の内側球面と比較的広い面積で接触して回転する。
【０００８】
合成樹脂の型成形により部品が成形されるレジスタでは、通常、製品ごとの各部品の寸法に公差内誤差があり、球面の接触で回動可能に支持される、レジスタの可動ルーバーの構造では、レジスタの製品ごとの各球面形状の公差内寸法誤差により、回転時の摩擦抵抗にばらつきが発生する。
【０００９】
このため、外枠と内枠間の隙間が比較的大きく、その間の摩擦抵抗が小さい場合、内枠の傾動操作が軽くなりすぎ、送風時の風圧によっても、内枠の向きが変化しやすく、一方、逆に外枠と内枠間の隙間が小さくその間の摩擦抵抗が大きい場合、内枠の傾動操作は重くなって、操作しにくくなる。
【００１０】
そこで、この種のレジスタでは、外枠の内側球面と内枠の外側球面との間に、不織布などの摺動シートを介装し、公差内寸法誤差による摩擦抵抗のばらつきを吸収して、回動操作時に安定した操作荷重を付与するようにしている。
【００１１】
しかし、外枠の内側球面と内枠の外側球面間の、比較的広い接触面に不織布などの摺動シートを介在させた場合、内枠の回動操作時、その操作角度に応じて操作荷重が変わり、或いはゴリゴリ感が発生し、風向調整時の操作フィーリングが悪化しやすい。
【００１２】
本発明は、上述の課題を解決するものであり、安定した操作荷重で任意の方向に風向を変えることができる、比較的簡単な構造の丸型のレジスタを提供することを目的とする。
【課題を解決するための手段】
【００１３】
上記目的を達成するために、本発明のレジスタは、
円筒状のリテーナ内に円筒フレームを有した回動ルーバーが傾動可能に配設され、該円筒フレーム内に羽根を設けた通風路が形成されてなるレジスタにおいて、
該リテーナの内周面は該通風路の中心線上の中心点を中心とする球の部分凹状球面で形成されるとともに、該円筒フレームの外周面は該部分凹状球面に対応する部分凸状球面から形成され、
該リテーナの内周面の対向位置に１対の摺動溝が該中心線と略平行に形成され、該円筒フレームの外周面に突設された１対のルーバー支軸が該１対の摺動溝に各々摺動且つ回動可能に係合され、
該円筒フレームの外周面には、該１対のルーバー支軸とは角度間隔をおいて複数の突起が該リテーナの内周面に接触可能に突設され、
該回動ルーバー全体を上下左右任意の方向に傾動操作したとき、該ルーバー支軸を中心に該回動ルーバーが回動するとともに、該１対のルーバー支軸が該摺動溝内で移動し、該回動ルーバー全体が傾動することを特徴とする。
【００１４】
この発明によれば、回動ルーバーを上下左右任意の方向に傾動操作したとき、ルーバー支軸を中心に回動ルーバーが回動するとともに、１対のルーバー支軸が摺動溝内で移動し、回動ルーバー全体が任意の方向に回動するので、比較的簡単な構造であっても、回動ルーバーを任意の上下左右方向に容易に傾動操作して、任意の方向に風向を変えることができる。
【００１５】
また、従来のように外枠の内側球面と内枠の外側球面間の接触面に、不織布などの摺動シートを介在させないため、製品ごとの操作荷重のばらつきが少なく、且つ回動ルーバーの回動操作時、ゴリゴリ感などが発生せず、操作フィーリングを向上させることができる。また、このレジスタは、少ない部品点数で構成することができ、製造コストを削減することができる。
【００１６】
ここで、上記１対のルーバー支軸には、荷重付与部材を装着することが好ましい。これによれば、ルーバー支軸の荷重付与部材によって、より安定した操作荷重で且つ滑らかな操作フィーリングをもって、回動ルーバーを傾動操作することができる。
【００１７】
また、上記突起は、半球形状とし、上記円筒フレームの外周面に、上記ルーバー支軸に対し９０度の角度間隔をおいて配置することが好ましい。これによれば、半球形状の突起の先端が部分凹状球面に接触し、比較的軽い操作力と、がたつきのない良好な操作フィーリングで、回動ルーバーの向きを良好に変えることができる。
【００１８】
ここで、上記円筒状のリテーナは、その中心点を通る分割線で２分割し、分割部分近傍に係止爪と係止部を設けて構成し、製造時の組付け時には、内側に回動ルーバーを配置した状態で、２分割のリテーナを組み立て、係止爪を係止部に係止して嵌合固定する構造とすることができる。これによれば、レジスタの製造時、簡単且つ容易にレジスタを組み立てることができる。
【００１９】
また、上記回動ルーバーには１対のバッフル板が該円筒フレームの内側で該中心線と直角のバッフル支軸により回動可能に軸支され、該回動ルーバーの正面中央に設けた操作ダイヤルを回動操作して該１対のバッフル板を回動させることができる。これによれば、バッフル板による通風路の開閉動作を、比較的簡単な構造で実現することができる。
【発明の効果】
【００２０】
本発明のレジスタによれば、安定した操作荷重で任意の方向に風向を変えることができ、操作時の操作フィーリングが改善され、レジスタを安価に製造することができる。
【図面の簡単な説明】
【００２１】
【図１】本発明の一実施形態を示すレジスタの部分断面を含む正面図である。
【図２】同レジスタの右側面図である。
【図３】図１のIII-III断面図である。
【図４】図１のIV-IV断面図である。
【図５】同レジスタの部分断面を含む背面図である。
【図６】（ａ）は回動ルーバーの正面図、（ｂ）はその右側面図である。
【図７】バッフル板を閉鎖した状態のIII-III断面図である。
【図８】バッフル板を閉鎖した状態のIV-IV断面図である。
【図９】回動ルーバーを上方に回動させたときの断面図である。
【図１０】回動ルーバーを下方に回動させたときの断面図である。
【図１１】回動ルーバーを右に回動させたときの断面図である。
【図１２】回動ルーバーを左に回動させたときの断面図である。
【発明を実施するための形態】
【００２２】
以下、本発明の一実施形態を図面に基づいて説明する。このレジスタは、概略的には、図１〜図４に示す如く、円筒状のリテーナ１内に、円筒フレーム３を有した回動ルーバー２が任意の方向に傾動可能に配設され、回動ルーバー２には１対のバッフル板３１，３２が円筒フレーム３の内側で中心線Ｓと直角のバッフル支軸３３により回動可能に軸支され、回動ルーバー２の正面中央に設けた操作ダイヤル２４を回動操作して、１対のバッフル板３１，３２を回動させるように構成される。
【００２３】
リテーナ１は、図１，２、４に示すように、全体的に円筒状に形成され、正面と背面に円形の開口部が形成され、正面にはベゼル部が一体形成され、或いはリテーナ１の正面に別部材のベゼルが嵌着される。リテーナ１の正面に、円形の空気吹出口５が形成され、リテーナ１の背面には、円形の空気導入口６が形成される。
【００２４】
また、リテーナ１の内周面は、図４に示す如く、中心線Ｓ上の中心点Ｏを中心とする球の部分凹状球面１１で形成される。この部分凹状球面１１は、後述の円筒フレーム３の外周面の部分凸状球面３ａを、外側から包囲するように形成され、リテーナ１の内側には、円筒フレーム３を有した回動ルーバー２が配設される。中心線Ｓは、図４に示すように、リテーナ１及び円筒フレーム３内の中心線であり、通風路４の中心を通り通風方向に沿って位置する。中心点Ｏは、中心線Ｓ上で円筒フレーム３の中心に位置し、後述のルーバー支軸２８，２９の軸と中心線Ｓとの交点である。
【００２５】
さらに、リテーナ１の内周面の上下の対向位置に、１対の摺動溝１２，１３が、中心線Ｓに沿って略平行に、前後方向に形成される。１対の摺動溝１２，１３は、部分凹状球面１１内に形成され、球面に沿って円弧状に湾曲し、溝内には回動ルーバー２のルーバー支軸２８，２９が各々係合し、回動ルーバー２の回動操作に応じて、摺動溝１２，１３内を摺動することとなる。また、図４に示すように、摺動溝１２，１３の両端部には、ストッパ部１２ａ、１３ａが設けられ、ルーバー支軸２８，２９の外れを防止するととともに、回動ルーバー２の上下の回動角度範囲を所定範囲内に限定している。
【００２６】
円筒状のリテーナ１は、図２に示すように、その中心近傍を縦方向に通る分割線Ｐで２分割し、分割部分近傍に複数対の係止爪１ａと係止部１ｂを設けて構成され、製造時の組付け時には、内側に回動ルーバー２を配置した状態で、２分割のリテーナを組み立て、係止爪１ａを係止部１ｂに係止して嵌合固定する。これにより、レジスタの製造時、リテーナ１内に回動ルーバー２を傾動可能に簡単に組み立てることができる。
【００２７】
リテーナ１内に配設される回動ルーバー２は、図６に示す如く、概略的には、外側に円筒フレーム３を有して構成され、回動ルーバー２の背面部には、図４に示すように、１対のバッフル板３１，３２が円筒フレーム３の内側で中心線Ｓと直角のバッフル支軸３３により回動可能に軸支される。バッフル支軸３３は、中心線Ｓ上の中心点Ｏより少し背面側に位置し、円筒フレーム３内の中央縦方向（横断方向）に取り付けられる。さらに、回動ルーバー２の正面中央には操作ダイヤル２４が設けられ、操作ダイヤル２４を回動操作すると、その回動力がベベルギヤ機構２５を介して１対のバッフル板３１，３２に伝達され、バッフル板３１，３２を回動させる構造となっている。
【００２８】
円筒フレーム３は、円筒状に形成されるとともに、外周面に部分凸状球面３ａが形成される。この部分凸状球面３ａは、リテーナ１の内周面の部分凹状球面１１に対応した凸状球面で形成され、中心線Ｓ上の中心点Ｏを中心とする球の球面とされ、その球の中央部分を、一定幅で縦に切り取った形状に形成される。これにより、円筒フレーム３は、リテーナ１の部分凹状球面１１の内側で、中心点Ｏを中心に上下左右任意の方向に傾動・回動可能に配設される構造となっている。
【００２９】
図４，６に示すように、回動ルーバー２の円筒フレーム３の上部と下部には、１対のルーバー支軸２８，２９が、部分凸状球面３ａの上端部と下端部に突設される。このルーバー支軸２８，２９は、図４に示すように、中心点Ｏを縦方向に通る垂直線上に位置し、上記リテーナ１の部分凹状球面１１の上部と下部に設けた摺動溝１２，１３内に摺動及び回動可能に挿入して組み付けられる。
【００３０】
ルーバー支軸２８，２９には、回動ルーバー２の回動操作時に適度な操作荷重を付与するために、荷重付与部材３０が装着される。荷重付与部材３０は、適度な弾性と摩擦抵抗を有する、熱可塑性エラストマーなどのゴム状弾性体から形成され、各支軸の外周部に嵌着される。このように、ルーバー支軸２８，２９に荷重付与部材３０が装着されるので、回動ルーバー２が回動操作され、ルーバー支軸２８，２９が摺動溝１２，１３内を移動し或いは回動するとき、適度な荷重が付与され、その回動操作性を良好にしている。
【００３１】
回動ルーバー２の円筒フレーム３の上下のルーバー支軸２８，２９は、リテーナ１内の上下に前後方向（中心線Ｓと略平行）に向けて形成された摺動溝１２，１３に嵌合して摺動可能とされるため、図９，１０のように、回動ルーバー２の全体を上下（前後）に傾動操作すると、回動ルーバー２は中心点Ｏを中心に上下（前後）方向に回動することとなる。図９，１０の如く、摺動溝１２，１３の両側端部に、ストッパ部１２ａ，１３ａが設けられているため、回動操作時の回動ルーバー２の角度範囲は、ルーバー支軸２８，２９が摺動溝１２，１３の両端部のストッパ部１２ａ，１３ａに当接して停止する範囲となる。また、これにより、操作時に、ルーバー支軸２８，２９が摺動溝１２，１３から外れる不具合を防止している。
【００３２】
さらに、図６に示すように、回動ルーバー２の円筒フレーム３の外周部（円周上）には、突起３４，３５が、ルーバー支軸２８，２９から約９０°の角度間隔をおいて、つまり円筒フレーム３の正面視における３時位置と９時位置に突起３４，３５が突設される。突起３４，３５は半球状に形成され、図１１，１２に示すように、回動ルーバー２をリテーナ１内に組み付けた際、その先端が部分凹状球面１１に接触可能となっている。
【００３３】
これにより、図１１，１２のように、回動ルーバー２全体を左右に傾動操作して、回動ルーバー２がその上下のルーバー支軸２８，２９を軸に左右に回動したとき、円筒フレーム３がリテーナ１内で、ごりごり感やガタツキなく、安定して回動することができる。また、図１１，１２に示す如く、リテーナ１内の部分凹状球面１１の縁部（開口部近傍）には、ストッパ部１１ａ、１１ｂが設けられ、これにより、突起３４，３５が部分凹状球面１１から外れる不具合を防止している。
【００３４】
このように、回動ルーバー２の円筒フレーム３の外周部の、正面視０時位置と６時位置にルーバー支軸２８，２９が突設され、且つその３時位置と９時位置に突起３４，３５が突設され、ルーバー支軸２８，２９はリテーナ１内の摺動溝１２，１３に係合し、突起３４，３５はリテーナ１内の部分凹状球面１１に接触するため、回動ルーバー２全体を前後（上下）方向に傾動操作したとき、回動ルーバー２は図９，１０に示すように中心点Ｏを中心に同方向に回動し、回動ルーバー２全体を左右方向に傾動操作したときには、図１１，１２に示すようにルーバー支軸２８，２９を軸に同方向に回動することとなる。
【００３５】
したがって、使用者は操作ダイヤル２４などを持って回動ルーバー２正面の空気吹出口５の方向を、任意の方向に傾動させ、風向を任意の方向に変えることができる。また、従来のように、不織布などの摺動シートをリテーナ１と円筒フレーム３間に介装しないため、回動の不安定さやゴリゴリ感などが生じず、スムーズに風向を変えることができ、摺動シートの部品費用を削減して、製造コストを低減することができる。
【００３６】
円筒フレーム３内には、図６に示すように、前後に開口する通風路４が形成され、その通風路４を横断及び縦断するように十字羽根２１が設けられる。さらに、十字羽根２１と直交するように、円形羽根２２が設けられ、通風路４を通る空気流は円筒フレーム３内で十字羽根２１と円形羽根２２の間を通過して送風される。このような円筒フレーム３内の十字羽根２１と円形羽根２２は、通風路４を通して送風される空気流が、回動ルーバー２を向けた方向に、良好な指向性を持って送風されるように作用する。
【００３７】
十字羽根２１の中央には、図４に示すように、貫通孔を有した中央軸支部２３が設けられる。中央軸支部２３の貫通孔は、レジスタの前後方向（中心線Ｓの方向）に形成され、操作ダイヤル２４の軸部２４ａがこの貫通孔に前方から回動可能に挿入される。これにより、正面中央に位置する操作ダイヤル２４は、中央軸支部２３に回動可能に支持され、左右に回動操作することができる。操作ダイヤル２４の中央軸支部２３には、図３、４のように、ベベルギヤ２６が固定される。このベベルギヤ２６は、後述のバッフル板３１，３２のベベルギヤ片３１ａ、３２ａと噛合し、ベベルギヤ機構２５を構成する。
【００３８】
図４に示すように、中心線Ｓ上の中心点Ｏより少し後部側に、バッフル支軸３３が、円筒フレーム３内の中央縦方向（横断方向）に取り付けられる。このバッフル支軸３３には、１対のバッフル板３１，３２が回動可能に支持される。１対のバッフル板３１，３２は、略半円形のバッフル板本体の縁部に、軸支部を設けて構成され、その軸支部がバッフ支軸３３の上部と下部に回転自在に外嵌され、バッフル支軸３３の回りで回転可能となっている。
【００３９】
さらに、バッフル板３１，３２の各軸支部の上部または下部に、ベベルギヤ片３１ａ，３２ａが一体形成される。上記のように、このベベルギヤ片３１ａ，３２ａは操作ダイヤル２４側のベベルギヤ２６と噛合し、バッフル板３１，３２が回動操作される。
【００４０】
つまり、操作ダイヤル２４の回動操作によりベベルギヤ機構２５のベベルギヤ２６及びベベルギヤ片３１ａ，３２ａを介して回動力が１対のバッフル板３１，３２に伝達され、これにより、１対のバッフル板３１，３２は相反方向に約９０°の角度範囲で回動し、図３のように通風路４を開放し、或いは図７のように通風路４を遮断する構造となっている。
【００４１】
したがって、図３の状態で、操作ダイヤル２４を持って右に（時計方向に）回すと、図７に示すように、ベベルギヤ機構２５を介して１対のバッフル板３１，３２がバッフル支軸３３を軸に通風路４の開放から閉鎖まで回動し、バッフル板３１，３２の開放角度を中間位置で停止させれば、送風時の風量を調整することができる。
【００４２】
上記構成のレジスタは、例えば自動車のインストルメントパネルに設けられた空調装置の空気吹出口等に装着して使用される。レジスタの送風方向を変える場合、操作ダイヤル２４或いは回動ルーバー２の前部を持って、回動ルーバー２全体を上下左右任意の方向に傾動させる。
【００４３】
このとき、図９，１０のように、回動ルーバー２を上または下に傾動操作すると、回動ルーバー２は、中心線Ｓ上の中心点Ｏを中心に回動し、円筒フレーム３の前面の空気吹出口５の向きが図９のように斜め上向き或いは図１０のように斜め下向きに傾動する。加えて或いは上記動作と同時に、回動ルーバー２を左または右に傾動操作すると、回動ルーバー２は、ルーバー支軸２８，２９を軸に左または右に回動し、このとき、円筒フレーム３の前面の空気吹出口５の向きは、斜め上向き或いは斜め下向きにと任意の方向に傾動する。
【００４４】
したがって、例えば、図９のように回動ルーバー２を、その上部のルーバー支軸２８が後方に下部のルーバー支軸２９が前方に傾動するように操作しながら、さらに回動ルーバー２を右に回すと、図１１のように円筒フレーム３はルーバー支軸２８，２９を軸に右に回動するから、円筒フレーム３の前面の空気吹出口５は、斜め右上側に向く。また、回動ルーバー２を左に回すと、図１２のように円筒フレーム３はルーバー支軸２８，２９を軸に左に回動し、円筒フレーム３の前面の空気吹出口５は、斜め左上側に向くこととなる。
【００４５】
一方、図１０のように回動ルーバー２を、上部のルーバー支軸２８が前方に下部のルーバー支軸２９が後方に傾動するように操作しながら、さらに回動ルーバー２を右に回すと、図１１のように円筒フレーム３はルーバー支軸２８，２９を軸に右に回動するから、円筒フレーム３の前面の空気吹出口５は、斜め右下側を向く。また、回動ルーバー２を左に回すと、図１２のように円筒フレーム３はルーバー支軸２８，２９を軸に左に回動し、円筒フレーム３の前面の空気吹出口５は、斜め左下側を向くこととなる。
【００４６】
このように、回動ルーバー２を上下左右任意の方向に傾動操作したとき、ルーバー支軸２８，２９を中心に回動ルーバー２が回動するとともに、ルーバー支軸２８，２９が摺動溝１２，１３内で移動し、回動ルーバー２全体が任意の方向に傾動するので、回動ルーバー２の空気吹出口５の向きを上下左右任意の方向に変えることができ、風向を簡単に調整することができる。
【００４７】
一方、回動ルーバー２中央の操作ダイヤル２４を持って右に（時計方向に）回すと、図７に示すように、ベベルギヤ機構２５を介して１対のバッフル板３１，３２が、バッフル支軸３３を軸に通風路４の開放から閉鎖まで回動し、通風路４は閉鎖される。また、バッフル板３１，３２の開放角度を中間位置で停止させるように、操作ダイヤル２４を回動操作すれば、送風時の風量が調整されることとなる。
【００４８】
このように、回動ルーバー２を上下左右任意の方向に傾動・回動操作したとき、ルーバー支軸２８，２９を中心に回動ルーバー２が回動するとともに、１対のルーバー支軸２８，２９が摺動溝１２，１３内で移動し、回動ルーバー２全体が中心線Ｓ上の中心点Ｏを中心に回動するので、比較的簡単な構造であっても、回動ルーバー２を任意の上下左右方向に容易に回動操作して、任意の方向に風向を変えることができる。
【００４９】
また、従来のように外枠の内側球面と内枠の外側球面間の接触面に、不織布などの摺動シートを介在させないため、製品ごとの操作荷重のばらつきが少なく、且つ回動ルーバー２の回動操作時、ゴリゴリ感などが発生せず、操作フィーリングを向上させることができ、摺動シートをなくして部品点数を少なくし、製造コストを削減することができる。
【００５０】
なお、上記実施形態では、回動ルーバー２の円筒フレーム３の部分凸状球面３ａに、左右１対の突起３４，３５を設けたが、４個以上複数対の突起を設けることもできる。
【符号の説明】
【００５１】
１      リテーナ
１ａ    係止爪
１ｂ    係止部
２      回動ルーバー
３      円筒フレーム
３ａ    部分凸状球面
４      通風路
５      空気吹出口
６      空気導入口
１１    部分凹状球面
１２、１３    摺動溝
１２ａ，１３ａ  ストッパ部
２１    十字羽根
２２    円形羽根
２３    中央軸支部
２４    操作ダイヤル
２４ａ  軸部
２５    ベベルギヤ機構
２６    ベベルギヤ
２８、２９    ルーバー支軸
３０    荷重付与部材
３１、３２    バッフル板
３１ａ、３２ｂ  ベベルギヤ片
３３    バッフル支軸
３４、３５    突起
【図１】
2014172549.tif 000003
【図２】
2014172549.tif 000004
【図３】
2014172549.tif 000005
【図４】
2014172549.tif 000006
【図５】
2014172549.tif 000007
【図６】
2014172549.tif 000008
【図７】
2014172549.tif 000009
【図８】
2014172549.tif 000010
【図９】
2014172549.tif 000011
【図１０】
2014172549.tif 000012
【図１１】
2014172549.tif 000013
【図１２】
2014172549.tif 000014